(57)【特許請求の範囲】
【請求項１】
負荷切換開閉器用差込機器（１４）と、少なくとも一つの切換モジュール（２４）が配備された、軸（Ａ）の周りを回転可能な開閉管（１５）とを有し、この切換モジュール（２４）が、開閉管（１５）に固定された少なくとも一つの開閉セグメント（２５）と少なくとも一つの抵抗配列（２７）を有し、この切換モジュール（２４）に対して、操作配列（４１）がオイルタンク（１８）の内壁（２０）に配備されている負荷時タップ切換器（１）において、
この少なくとも一つの抵抗配列（２７）が、同じ構成の複数の個別の抵抗部品（２８）を有し、
この操作配列（４１）が、同じ構成の複数の操作部品（５０）から成り、これらの操作部品が、切換モジュール（２４）に対して、オイルタンク（１８）の内壁（２０）に配備されており、
これらの同じ構成の少なくとも一つの開閉セグメント（２５）及び抵抗配列（２７）の配置構成と、オイルタンク（１８）の内壁（２０）へのこれらの同じ構成の複数の操作部品（５０）の取付形態とに応じて、この負荷時タップ切換器が負荷選択器（１）又は負荷切換開閉器（１）として実現することが可能であり、
この負荷時タップ切換器（１）が負荷選択器として実現された場合に、各開閉セグメント（２５）は、操作レバー（４５）をそれぞれ配備された二つの真空開閉管（３３，３４）と、バイパス接点（３９１）用の複数の可動接点（２９Ａ）と、選択接点（８４）用の複数の可動接点（２９Ｓ）とを有し、
この負荷時タップ切換器（１）が負荷切換開閉器として実現された場合に、各開閉セグメント（２５）は、操作レバー（４５）をそれぞれ配備された二つの真空開閉管（３３，３４）と、バイパス接点（３９１）用の複数の可動接点（２９Ａ）と、タップ接点（３９２）用の複数の可動接点（２９Ｓ）とを有する、
ことを特徴とする負荷時タップ切換器。
【請求項２】
請求項１に記載の負荷時タップ切換器（１）において、
当該の同じ構成の抵抗部品（２８）が、扇形状の支持体（２９）に据え付けられており、そのため、同じ構成の抵抗配列（２７）を構成することを特徴とする負荷時タップ切換器。
【請求項３】
請求項１又は２に記載の負荷時タップ切換器（１）において、
当該の同じ構成の操作部品（５０）の各々が、オイルタンク（１８）の内壁（２０）に固定するための複数の孔（６０）と複数の切欠き（６２）を有するとともに、上方の制御曲線部（５１）と下方の制御曲線部（５２）を形成されていることを特徴とする負荷時タップ切換器。
【請求項４】
請求項１から３までのいずれか一つに記載の負荷時タップ切換器（１）において、
負荷時タップ切換器（１）が負荷選択器として実現された場合に、
切換モジュール（２４）には、同じ構成の抵抗配列（２７）の扇形状の支持体（２９）、開閉セグメント（２５）及び嵩張る部品（３６）が開閉管（１５）の軸（Ａ）の周りに配置されており、
オイルタンク（１８）の内壁（２０）には、負荷選択器に対応する操作部品（５０）が取り付けられている、
ことを特徴とする負荷時タップ切換器。
【請求項５】
請求項４に記載の負荷時タップ切換器（１）において、
開閉管（１５）が、開閉セグメント（２５）、抵抗配列（２７）及び嵩張る部品（３６）を半径方向において開閉管（１５）の軸（Ａ）の周りに保持する保持部（４０）を装備していることを特徴とする負荷時タップ切換器。
【請求項６】
請求項４又は５に記載の負荷時タップ切換器（１）において、
当該の負荷選択器（１）が、軸（Ａ）に沿って開閉管（１５）に配置された三つの切換モジュール（２４）を有することを特徴とする負荷時タップ切換器。
【請求項７】
請求項１から３までのいずれか一つに記載の負荷時タップ切換器（１）において、
負荷時タップ切換器（１）が負荷切換開閉器として実現された場合に、
切換モジュール（２４）には、同じ構成の抵抗配列（２７）の扇形状の支持体（２９）の中の三つが、
それらが開閉管（１５）を包囲し、
三つの開閉セグメント（２５）が、開閉管（１５）の軸（Ａ）の方向において抵抗配列（２７）から間隔を開けて、開閉管（１５）の周りに取り付けられ、
オイルタンク（１８）の内壁（２０）には、負荷切換開閉器に対応する操作部品（５０）が取り付けられている、
ように開閉管（１５）の軸（Ａ）の周りに配置されていることを特徴とする負荷時タップ切換器。
【請求項８】
請求項７に記載の負荷時タップ切換器（１）において、
開閉管（１５）が、同じ構成の抵抗配列（２７）用の第一の保持機器（１８）を装備しており、そのため、これらの抵抗配列が開閉管（１５）を包囲し、
開閉管（１５）が、軸方向において、開閉管（１５）の周りに三つの開閉セグメント（２５）を保持する第二の保持機器（８２）を装備している、
ことを特徴とする負荷時タップ切換器。
【請求項９】
請求項７又は８に記載の負荷時タップ切換器（１）において、
当該の負荷切換開閉器（１）が、半径方向において軸（Ａ）の周りに開閉管（１５）に配置された三つの開閉セグメント（２５）を有することを特徴とする負荷時タップ切換器。
【請求項１０】
請求項１から９までのいずれか一つに記載の負荷時タップ切換器（１）において、
開閉セグメント（２５）の各操作レバー（４５）が、操作部品（５０）の上方の制御曲線部（５１）又は下方の制御曲線部（５２）と協力して動作するローラ（４３）を装備していることを特徴とする負荷時タップ切換器。
【請求項１１】
請求項１から１０までのいずれか一つに記載の負荷時タップ切換器（１）において、
各操作部品（５０）の内面（５６）に、少なくとも一つのバイパス接点（３９１）と、負荷時タップ切換器（１）が負荷切換開閉器として実現された場合の少なくとも一つのタップ接点（３９２）又は負荷時タップ切換器（１）が負荷選択器として実現された場合の少なくとも一つの選択接点（８４）が、それぞれ保持部品（３１）を介して接続されて、オイルタンク（１８）の外壁（１６）に保持されており、
各バイパス接点（３９１）の電気接続部品（６８）、或いは負荷時タップ切換器（１）が負荷切換開閉器として実現された場合の各タップ接点（３９２）又は負荷時タップ切換器（１）が負荷選択器として実現された場合の各選択接点（８４）の電気接続部品（３９，８５，８６）が、保護キャップ（３０）を貫通してオイルタンク（１８）の外壁（１６）にまで延びている、
ことを特徴とする負荷時タップ切換器。
【請求項１２】
請求項１１に記載の負荷時タップ切換器（１）において、
負荷時タップ切換器（１）が負荷選択器として実現された場合に、バイパス接点が連続したバイパスリング（３９１）として構成されていることを特徴とする負荷時タップ切換器。
【請求項１３】
請求項１１に記載の負荷時タップ切換器（１）において、
負荷時タップ切換器（１）が負荷切換開閉器として実現された場合に、バイパス接点（３９１）がリングセグメントとなることを特徴とする負荷時タップ切換器。
【請求項１４】
請求項１から１３までのいずれか一つに記載の負荷時タップ切換器（１）において、
釣合い錘（３５）が開閉管（１５）に取り付けられていることを特徴とする負荷時タップ切換器。
【発明の詳細な説明】
【技術分野】
【０００１】
本発明は、負荷時タップ切換器に関する。この負荷時タップ切換器は、負荷切換開閉器用差込機器と、少なくとも一つの切換モジュールが配備された、軸の周りを回転可能な開閉管とを有する。この切換モジュールは、開閉管に固定された少なくとも一つの開閉セグメントと少なくとも一つの抵抗配列を有する。この切換モジュールに対して、少なくとも一つの操作配列がオイルタンクの内壁に配備されている。
【背景技術】
【０００２】
負荷時タップ切換器（英語で「ｏｎ−ｌｏａｄ  ｔａｐ−ｃｈａｎｇｅｒｓ」、略してＯＬＴＣ）は、従来技術の至る所で知られ、使われている。それらは、タップ変成器の異なる巻線タップの間を無中断で切り換える役割を果たす。
【０００３】
そのような負荷時タップ切換器は、負荷選択器と、選択器を備えた負荷切換開閉器とに区分される。
【０００４】
例えば、特許文献１に開示されている通りの選択器を備えた負荷切換開閉器では、精密選択器と、場合によっては、事前選択器とから成る選択器が負荷切換開閉器の下に配置されている。その選択器は、タップ付変成器のその時々の切り換え先の新しい巻線タップを無電力状態で選択する役割を果たす。その負荷切換開閉器は、その新しく事前選択された切り換え先の巻線タップに切り換える、その後の速く無中断で切り換える役割を果たす。
【０００５】
例えば、特許文献２に記載されている通りの選択器は、選択器を備えた負荷切換開閉器と同様に、そのタップ付変成器の制御巻線のタップを負荷時に切り換えて、それにより消費側での電圧変化を目的通り平準化する役割を果たす。選択器から負荷切換開閉器を切り離すことを省くことによって、より小さい負担で負荷選択器を製造することができる。負荷選択器は、例えば、使用可能なタップ数を制限することによって、限定された使用範囲のみを有する。
【０００６】
両方の形式の負荷時タップ切換器は、モータ駆動部の切り換えにより操作される。そのモータ駆動部によって、蓄圧器に力を貯めるための被動シャフト又は駆動シャフトを動かしている。その蓄圧器が完全に力を貯めた場合、即ち、付勢された場合、それは留めを解除されて、そのエネルギーが突如解放され、ミリ秒（ｍｓ）の時間範囲内で負荷切換開閉器用差込機器を操作し、そして、その負荷切換開閉器用差込機器は、負荷切換中の特定の切換フローを実行する。その場合、次に、異なる切換接点と抵抗接点が所定の時間順序で操作される。その場合、それらの切換接点は、その時々の巻線タップを負荷導体と直接接続する役割を果たし、それらの抵抗接点は、短時間開閉する、即ち、一つ以上の遷移抵抗を用いてブリッジする役割を果たす。有利には、真空開閉管が、負荷を切り換えるための開閉部品として使用される。それは、例えば、特許文献３〜６に記載されている通り、負荷を切り換えるために真空開閉管を使用することは、オイル内のアーク放電の発生を防止する、そのため、負荷切換開閉器オイルのオイル汚染を防止するとの理由に基づくものである。
【０００７】
これらの負荷時タップ切換器の欠点は、中央の回転する伝動部、操作部品、固定接点及び抵抗配列である。それは、例えば、開閉セグメント又は抵抗配列のために、複雑な支持部品が必要であり、それらの部品を負荷選択器内に別々に配置しなければならないことと関連する。更に、柔軟な接点又は電流接続が必要である。その結果、幾つかの構成部品は、それらを負荷時タップ切換器に組み込み可能となるように、正確かつ変形せずに製造しなければならない。それらの構成部品を射出成形手法により製造する場合、それらの異なる構成部品毎に独自の射出成形型を製作しなければならず、そのことは、負荷時タップ切換器のコストを上昇させる。
【０００８】
そのため、特許文献７は、有利には、負荷切換開閉器の下に配置され、モジュール方式により組み立てられ、その結果、異なるタップ切換器用のタップ選択器を採用することを可能とする、制御変成器のタップ切換器用のタップ選択器を既に開示している。
【先行技術文献】
【特許文献】
【０００９】
【特許文献１】ドイツ特許第１００５５４０６号明細書
【特許文献２】ドイツ特許第２８３３１２６号明細書
【特許文献３】ドイツ特許第１９５１０８０９号明細書
【特許文献４】ドイツ特許第４０１１０１９号明細書
【特許文献５】ドイツ特許公開第４２３１３５３号明細書
【特許文献６】ドイツ特許公開第１０２００７００４５３０号明細書
【特許文献７】ドイツ特許第１２３１８０５号明細書
【発明の概要】
【発明が解決しようとする課題】
【００１０】
本発明の課題は、負荷選択器又は負荷切換開閉器と関連する多数の同じ部分を使用し、そのため、負荷時タップ切換器の異なる機能を実現することが可能な簡単で安価な負荷時タップ切換器を作り出すことである。
【課題を解決するための手段】
【００１１】
本課題は、請求項１の特徴を有する負荷時タップ切換器により解決される。
【００１２】
本発明による負荷時タップ切換器は、負荷切換開閉器用差込機器と軸の周りを回転可能な開閉管を有する。この開閉管には、少なくとも一つの切換モジュールが配備されている。この場合、負荷時タップ切換器の切換モジュールは、開閉管に固定された少なくとも一つの開閉セグメントと少なくとも一つの抵抗配列を有する。オイルタンクの内壁には、切換モジュールに対して操作部品が配備されている。
【００１３】
本発明では、この少なくとも一つの抵抗配列が、同じ構成の複数の個別の抵抗部品を有する。更に、この操作配列が、切換モジュールに対してオイルタンクの内壁に配備された同じ構成の複数の操作部品から構成されると規定する。この場合、これらの同じ構成の少なくとも一つの開閉セグメント及び少なくとも一つの抵抗配列の配置構成と、オイルタンクの内壁への同じ構成の複数の操作部品の取付形態とに応じて、負荷時タップ切換器が負荷選択器又は負荷切換開閉器となる。
【００１４】
これらの切換モジュールの個別の構成部品は、負荷選択器でも負荷切換開閉器でも使用することができるので、この負荷時タップ切換器は多数の同じ部分を実現している。そして、これらは、後で更に説明する通り、モジュール方式により組み立てることができる。これらの同じ部分を使用することによって、製造コストを大幅に節約することができ、そのため、安価な負荷時タップ切換器が実現される。
【００１５】
本発明の第一の実施構成では、これらの同じ構成の抵抗部品は、それぞれ扇形状の支持体に据え付けられており、そのため、負荷選択器又は負荷切換開閉器の機能を実現可能とするように、負荷選択器又は負荷切換開閉器において、それに対応して配置された同じ構成の抵抗配列を形成する。
【００１６】
本発明の別の実施構成では、これらの同じ構成の操作部品は、オイルタンクの内壁に固定するための複数の孔と複数の切欠きを有する。更に、これらの同じ構成の操作部品には、上方の制御曲線部と下方の制御曲線部が形成されている。
【００１７】
特に、各開閉セグメントは、操作レバーがそれぞれ配備された二つの真空開閉管と、バイパス接点用の複数の可動接点と、負荷切換開閉器のタップ接点又は負荷選択器の選択接点用の複数の可動接点とを備えることができる。
【００１８】
本発明による負荷時タップ切換器の有利な実施構成では、切換モジュールには、同じ構成の抵抗配列の扇形状の支持体、開閉セグメント及び嵩張る部品が開閉管の軸の周りに配置される。更に、オイルタンクの内壁には、この実施構成では、本発明による負荷時タップ切換器が負荷選択器となるように、それに対応した操作部品が取り付けられる。
【００１９】
特に、この負荷選択器としての負荷時タップ切換器の実施構成では、開閉管は、開閉セグメント、抵抗配列及び嵩張る部品を半径方向において開閉管の軸の周りに保持する保持部品を装備することができる。
【００２０】
本発明による負荷時タップ切換器の別の有利な実施構成では、切換モジュールには、同じ構成の複数の抵抗配列の扇形状の支持体が開閉管の軸の周りに配置され、その結果得られる抵抗配列の配置構成が開閉管を包囲する。開閉管の軸の方向において、抵抗配列の配置構成から間隔を開けて、三つの開閉セグメントが開閉管の周りに取り付けられる。更に、オイルタンクの内壁には、本発明による負荷時タップ切換器が、別個の選択器と協力して動作するのに適した負荷切換開閉器となるように、それに対応する操作部品が取り付けられる。
【００２１】
特に、この負荷切換開閉器としての負荷時タップ切換器の実施構成では、開閉管は、抵抗配列用の第一の保持機器を装備することができ、そのため、抵抗配列は開閉管を包囲する。この場合、開閉管は、軸方向において、それに対応する三つの開閉セグメントを開閉管の周りに保持する第二の保持機器を備える。
【００２２】
負荷時タップ切換器が本発明による負荷選択器であるか、或いは選択器を備えた負荷切換開閉器であるかに関わらず、開閉セグメントの各操作レバーは、操作部品の上方の制御曲線部又は下方の制御曲線部と協力して動作するローラを装備する。
【００２３】
同様に、少なくとも一つのバイパス接点と少なくとも一つのタップ接点又は選択接点は、それぞれ保持部品を介して各操作部品の内面に接続してオイルタンクの外壁に保持することができる。そして、この場合、各バイパス接点又はタップ接点の電気接続部品は、保護キャップを貫通してオイルタンクの外壁にまで延びる。
【００２４】
別の実施構成では、バイパス接点は連続したスリップリングである。それは、少なくとも同じ構成の開閉セグメントと同じ構成の抵抗配列の配置構成に応じて得られ、そのため、負荷時タップ切換器が負荷選択器として構成され、バイパス接点が連続したバイパスリング又はスリップリングとして構成される。
【００２５】
別の実施構成では、バイパス接点が、少なくとも一つの別個のスリップリングセグメントから構成される。それは、少なくとも同じ構成の開閉セグメントと同じ構成の抵抗配列の配置構成に応じて得られ、そのため、負荷時タップ切換器が負荷切換開閉器となり、バイパス接点がリングセグメント又はスリップリングセグメントとなる。
【００２６】
本発明の別の実施構成では、釣合い錘が開閉管に取り付けられる。有利には、この釣合い錘は、第一の部分釣合い錘と第二の部分釣合い錘から構成される。この場合、開閉管は、第一の部分釣合い錘と第二の部分釣合い錘を保持する。この釣合い錘を第一の部分釣合い錘と第二の部分釣合い錘に分割することは、それを開閉管に取り付けることを容易にする。更に、この釣合い錘は、負荷選択器の上方に設けられた嵩張る部品を支持する。
【００２７】
別の有利な実施構成では、負荷選択器は、軸に沿って開閉管に配置された三つの切換モジュールを有し、そのため、三相負荷選択器となる。
【００２８】
更に別の有利な実施構成では、負荷切換開閉器は、半径方向において軸の周りに開閉管に配置された三つの切換モジュールを有し、そのため、三相負荷切換開閉器となる。ここでも、開閉管は釣合い錘を保持する。
【００２９】
第一の部分釣合い錘と第二の部分釣合い錘から成る釣合い錘は、蓄圧器から開閉管に伝達されるモーメントが開閉管の所定の旋回運動を引き起こすように、基本的にそれに対応する重量を提供する役割を果たす。そのようにして、負荷時タップ切換器の所定の切換位置が設定されることを保証できる。
【００３０】
以下において、添付図面と関連付けて本発明とその利点を詳しく説明する。
【図面の簡単な説明】
【００３１】
【図１】三相負荷選択器の形の本発明による負荷時タップ切換器の斜視図
【図２】図１の本発明による負荷選択器の断面図
【図３】抵抗配列の同じ構成の抵抗部品が据え付けられた扇形状の支持体の斜視図
【図４】本発明による負荷時タップ切換器用の個別の操作部品の斜視図
【図５】図４の操作部品がオイルタンクの内壁に固定された負荷時タップ切換器の部分断面図
【図６】図１に表示された断面線Ａ−Ａに沿った負荷選択器の断面図
【図７】内部構造を分かり易くするために開閉セグメントの壁の一部を取り除いた、オイルタンクの内壁に配置された操作部品の対応する制御曲線部と協力して動作する開閉セグメントの斜視図
【図８】開閉管に固定された三つの開閉セグメントと嵩張る部品を見ることができ、開閉管が第一の部分釣合い錘と第二の部分釣合い錘を保持する、図１の三相負荷選択器の負荷切換開閉器用差込機器の斜視図
【図９】開閉管に固定された三つの抵抗配列と開閉管に保持された図８の二つの部分釣合い錘が図示された、図１の三相負荷選択器の負荷切換開閉器用差込機器の別の斜視図
【図１０】三相負荷切換開閉器の形の本発明による負荷時タップ切換器の内部構造を図解した模式的な断面図
【図１１】図１０に表示された断面線Ｂ−Ｂに沿った負荷切換開閉器の断面図
【発明を実施するための形態】
【００３２】
本発明の同じ、或いは同様に作用する構成要素に対しては、同じ符号が使用されている。更に、見易くするために、個々の図面では、その時々の図面の説明に必要な符号だけが表示されている。ここに図示された実施構成は、本発明による負荷時タップ切換器を如何に構成できるかの単なる例であり、そのため、本発明を最終的に制限するものではない。
【００３３】
図１は、本発明による三相負荷時タップ切換器又は負荷選択器１の斜視図を図示している。この負荷選択器１は、伝動部５を備えた、図示されていない蓄圧器に力を貯めるための、例えば、電気モータなどの駆動部３を有する。この蓄圧器が完全に力を貯めた場合、即ち、付勢された場合、それは留めを解除されて、そのエネルギーが突如解放され、負荷切換開閉器用差込機器１４の開閉管１５を操作する。この場合、回転する開閉管１５がオイルタンク１８内に保持されている。このオイルタンク１８は、上方を蓋１９で閉鎖されるとともに、更に、底部２１を備えている。
【００３４】
本発明による負荷選択器１は、オイルタンク１８内に互いに重ねて配置された第一の相Ｌ１、第二の相Ｌ２及び第三の相Ｌ３を有する。これら三つの相Ｌ１，Ｌ２，Ｌ３の上には、事前選択器３７が据えられている。ここに図示された図面では、事前選択接点用の電気接続部品３８がオイルタンク１８のオイルタンク壁１７に配備されている。この場合、三相Ｌ１，Ｌ２，Ｌ３のタップ接点３９２用の電気接続部品３９（図５〜７を参照）が、オイルタンク１８のオイルタンク壁１７を通り抜けるように、同じく負荷選択器１に配置されている。
【００３５】
図２は、図１の負荷切換開閉器用差込機器１４を備えた本発明による負荷選択器１の断面図を図示している。この負荷切換開閉器用差込機器１４は、軸Ａの周りを回転可能な開閉管１５を有する。ここでは、開閉管１５には、本発明による三つの切換モジュール２４が配備されている、即ち、各相Ｌ１，Ｌ２，Ｌ３が一つの切換モジュール２４を有する。この場合、負荷選択器１の各切換モジュール２４は、開閉管１５に固定された一つの開閉セグメント２５と、同じ構成の複数の個別の抵抗部品２８から成る同じ構成の少なくとも一つの抵抗配列２７とを有する。これらの同じ構成の抵抗部品２８は、図３に図示されている通り、抵抗部品２８と共に同じ構成の抵抗配列２７を構成する扇形状の支持体２９に据え付けられている。
【００３６】
更に、図２に図示されている通り、各切換モジュール２４に対して、少なくとも一つの操作部品５０がオイルタンク１８の内壁２０に配備されている。この場合、各操作配列４１は、複数の別個の同じ構成の操作部品５０から構成される。これらの操作部品５０は、有利には、オイルタンク１８の内壁２０の輪郭に適合し、ほぼ板形状である。
【００３７】
そのような個別の操作部品５０は、図４に斜視図で図示されている。以下の図５に図示されている通り、操作部品５０をオイルタンク１８の内壁２０に固定するために、操作部品５０は、タップ接点３９２の電気接続部品３９を貫通させて取り付けるための少なくとも一つの孔６０を有する（図５，７を参照）。更に、各操作部品５０は少なくとも一つの切欠き６２を有する。これらの切欠き６２は、バイパスリング３９１用の少なくとも二つの保持部品３１（図５，７，１０を参照）を貫通させる役割と、更に、負荷選択器の第一の相Ｌ１において、バイパスリング３９１用の（図示されていない）単一の電気接続部品を貫通させる役割を果たす。更に、この操作部品５０は、図７に図示された真空開閉管３３，３４を操作するために使用される上方の制御曲線部５１と下方の制御曲線部５２を有する。
【００３８】
図５は、図４の操作部品５０を備えた負荷選択器の部分断面図を図示している。これらの操作部品５０は、オイルタンク１８の内壁２０に固定されている。ここでは、各操作部品５０は、少なくとも二つの孔６０（図４を参照）と少なくとも一つの切欠き６２（図４を参照）を介して、それぞれ保持部品３１によりオイルタンク１８の内壁２０に保持されている。これらの保持部品３１は、ここに図示された実施構成では、それらの保持部品を用いて、一つのバイパスリング３９１と二つのタップ接点３９２が各操作部品５０の内面５６に保持されるように取り付けられている。これ以外の実施構成が、バイパスリング３９１又はバイパス接点３９１とタップ接点３９２の別の配置構成を規定することもできる。
【００３９】
この場合、各タップ接点３９２は、それぞれオイルタンク１８の外壁１６にまで延びる電気接続部品３９と接続されている。特に、ここに図示されている通り、バイパス接点は、有利には、バイパスリング３９１である。
【００４０】
図６は、負荷選択器１の図１の断面線Ａ−Ａに沿った断面図を図示しており、第一の相Ｌ１の平面図が図示されている。ここに図示されている通り、オイルタンク１８の内壁２０には、第一の相Ｌ１に対して、操作配列４１となる、オイルタンク１８の内壁２０の輪郭に適合する操作部品５０が据え付けられている。ここに図示されていないタップ接点３９２用の電気接続部品３９とここに図示されていないバイパスリング３９１用の電気接続部品６８は、それらに対応する操作部品５０とオイルタンク１８の内壁２０を通ってオイルタンクの外壁にまで貫通している。オイルタンク１８の外壁１６の保護キャップ３０は、オイルタンク１８の内壁２０に配置された操作部品５０を保持している。そのために、タップ接点３９２用の電気接続部品３９とバイパスリング３９１用の電気接続部品６８は、操作部品５０がオイルタンク１８の内壁２０に保持されるように、（図５を参照、ここに図示されていない）保持部品３１を介して、それに対応する保護キャップ３０と協力して動作する。これらの保護キャップ３０は、オイルタンク１８の外壁１６に設置されている。各操作部品５０は、相応の相Ｌ１，Ｌ２，Ｌ３の開閉セグメント２５のローラ４３を備えたそれに対応する操作レバー４５と協力して動作するための上方の制御曲線部５１と下方の制御曲線部５２を有する（これに関しては、図５を参照）。
【００４１】
更に、各相Ｌ１，Ｌ２，Ｌ３の開閉管１５は、保持部品４０を装備しており、この保持部品には、抵抗配列２７と開閉セグメント２５の外に、嵩張る部品３６が半径方向において開閉管１５の軸Ａの周りに保持されている。この場合、操作レバー４５のローラ４３が操作部品５０のそれに対応する上方又は下方の制御曲線部５１，５２と協力して動作して、各開閉セグメント２５の二つの真空開閉管３３，３４を操作するように、開閉セグメント２５は、タップ接点３９２用の可動接点２９Ｓとバイパス接点３９１用の可動接点２９Ａを取り付けられている（図７を参照）。図７は、それを斜視図で図示している。ここに図示されている別の全ての符号は、図１〜６に関する前の記述で既に説明されているので、ここでは、新たな説明を省く。
【００４２】
本発明による負荷選択器１の図８と９の別の斜視図に図示されている通り、有利な実施構成では、負荷選択器が釣合い錘３５を有する。この錘は、有利には、第一の部分釣合い錘３５１と第二の部分釣合い錘３５２から構成され、更に、嵩張る部品３６を支持している。これらの嵩張る部品３６と釣合い錘３５は、開閉管１５の回転を引き起こす蓄圧器の解放が負荷選択器の個々の切換状態の所定の切換又は所定の設定を実行するように、切換プロセスの運動の時間的な進行を支援するために必要である。図８と９から、負荷切換開閉器用差込機器１４が三つの同じ切換モジュール２４から構成されていることが分かる。各切換モジュール２４では、開閉管１５に開閉セグメント２５と抵抗配列２７が取り付けられている。
【００４３】
図１０は、三相負荷切換開閉器１の形の本発明による負荷時タップ切換器の内部構造を図解した断面図を図示している。この負荷切換開閉器１は、同じく軸Ａの周りを回転可能な開閉管１５を有する。ここでも、開閉セグメント２５及び同じ構成の抵抗配列２７に組み立てられる同じ構成の個別の抵抗部品２８は、前の図１〜９に関して説明した負荷選択器と同様に開閉管１５に固定された切換モジュール２４として見ることができる。各抵抗配列２７は、ここでも扇形状の支持体２９（図３を参照）に据え付けられた複数の同じ抵抗部品２８を有する。
【００４４】
本発明による負荷切換開閉器１のここに図示された実施構成では、同じ構成の抵抗配列２７の配置構成が開閉管１５を包囲するように、切換モジュール２４毎に同じ構成の三つの抵抗配列２７が、扇形状の支持体２９及び同じ構成の抵抗部品２８と共に開閉管１５の軸Ａの周りに配置されている。この同じ構成の抵抗配列２７の配置構成は、開閉管１５の軸Ａの方向において、同じく開閉管１５の周りに取り付けられた三つの開閉セグメント２５から間隔を開けて配置されている。負荷選択器の場合と同様に、この負荷切換開閉器１においても、複数の操作部品５０が、既に図４で説明した手法の通り、負荷切換開閉器１のオイルタンク１８の内壁２０に取り付けられている。
【００４５】
各開閉セグメント２５は、図７の負荷選択器のタップ接点３９２と同じ構成である、選択接点８４を電気的に接触させるための複数の可動接点２９Ｓを有する。開閉セグメント２５は、同じく、この実施構成では、バイパスリングのリングセグメントであるバイパス接点３９１用の複数の可動接点２９Ａを装備している。このバイパス接点３９１は、ガイドセグメントとしても機能する。そのために、開閉セグメント２５には、ガイドセグメントの上と下に当接し、そのようにして、開閉管１５の回転時に開閉セグメント２５を案内するガイドローラ４７が配備されている。
【００４６】
本発明による負荷切換開閉器１の開閉管１５は、抵抗部品２８用の第一の保持機器８１を装備しており、そのため、その結果得られる抵抗配列２７が開閉管１５を包囲している。更に、ここでは、開閉管１５が、軸方向において、開閉管１５の周りに三つの開閉セグメント２５を保持する第二の保持機器８２を装備している。
【００４７】
図１１は、図１０に表示された断面図Ｂ−Ｂに沿った負荷切換開閉器１の断面図を図示している。開閉管１５の周りには、同じ構成の三つの開閉セグメント２５が配置されており、その各々は、オイルタンク１８の内壁２０のそれに対応する操作部品５０と協力して動作する。これらの三つの操作部品５０は操作配列４１を構成する。図４での記述で説明した通り、各操作部品５０は上方の制御曲線部５１と下方の制御曲線部５２を有する。各開閉セグメント２５は、ここでは図示されていない二つの真空開閉管を有し、その各々は、ローラ４３を装備した操作レバー４５と協力して動作する。これらのローラ４３は、上方の制御曲線部５１又は下方の制御曲線部５２と協力して動作する。この切換モジュール２４は、第一の相Ｌ１、第二の相Ｌ２及び第三の相Ｌ３において、それぞれ開閉セグメント２５とその下に配置された抵抗配列２７を有する。相Ｌ１，Ｌ２，Ｌ３毎に、図４に図示された形状を有する、図６に図示された負荷選択器１の場合と同様に使用される操作部品５０がそれぞれ一つ配備されている。選択接点８４（図１０を参照）用の電気接続部品８５，８６とバイパス接点３９１用の電気接続部品６８が、操作部品５０とオイルタンク１８のオイルタンク壁１７を通ってオイルタンクの外壁１６にまで貫通している。各バイパス接点３９１の電気接続部品６８と各タップ接点３９２の電気接続部品３９は、更に、各保護キャップ３０を貫通してオイルタンク１８の外壁１６にまで延びている。
【符号の説明】
【００４８】
１    負荷時タップ切換器、負荷切換開閉器、負荷選択器
３    駆動部
５    伝動部
１４    負荷切換開閉器用差込機器
１５    開閉管
１６    オイルタンクの外壁
１７    オイルタンク壁
１８    オイルタンク
１９    蓋
２０    オイルタンクの内壁
２１    底部
２４    切換モジュール
２５    開閉セグメント
２７    抵抗配列
２８    抵抗部品
２９    扇形状の支持体
２９Ａ  バイパス接点用の可動接点
２９Ｓ  タップ接点用の可動接点
３０    保護キャップ
３１    保持部品
３３    真空開閉管
３４    真空開閉管
３５    釣合い錘
３５１  第一の部分釣合い錘
３５２  第二の部分釣合い錘
３６    嵩張る部品
３７    事前選択器
３８    事前選択接点用の電気接続部品
３９    タップ接点用の電気接続部品
３９１  バイパス接点、バイパスリング、ガイドリング、リングセグメント
３９２  タップ接点
４０    保持部
４１    操作配列
４３    ローラ
４５    操作レバー
４７    ガイドローラ
５０    操作部品
５１    上方の制御曲線部
５２    下方の制御曲線部
５６    操作部品の内面
６０    孔
６２    切欠き
６８    バイパス接点／バイパスリング用の電気接続部品
８１    第一の保持機器
８２    第二の保持機器
８４    選択接点
８５    選択接点用の電気接続部品
８６    選択接点用の電気接続部品
Ａ      軸
Ａ−Ａ  断面線
Ｂ−Ｂ  断面線
Ｌ１    第一の相
Ｌ２    第二の相
Ｌ３    第三の相
【図１】
0006461132.tif 000002
【図２】
0006461132.tif 000003
【図３】
0006461132.tif 000004
【図４】
0006461132.tif 000005
【図５】
0006461132.tif 000006
【図６】
0006461132.tif 000007
【図７】
0006461132.tif 000008
【図８】
0006461132.tif 000009
【図９】
0006461132.tif 000010
【図１０】
0006461132.tif 000011
【図１１】
0006461132.tif 000012